(57)【特許請求の範囲】
【請求項１】
透光性を有し、かつ表面に多数の線状の溝を有する目付層と、
前記目付層よりも背面側に設けられ、前記目付層側からの入射光を反射する反射層と、
を備え、
前記反射層は、背面側に設けられた光源から照射される光を前面側に透過させる透過領域を有し、かつ前記光源が点灯しているときに前記透過領域を透過する光によって表示意匠を表示し、
前記反射層において、前記透過領域がパールインキで構成されており、かつ前記透過領域以外の領域がミラーインキで構成されている
ことを特徴とする文字板。
【請求項２】
透光性を有し、かつ表面に多数の線状の溝を有する目付層と、前記目付層よりも背面側に設けられ、前記目付層側からの入射光を反射する反射層と、を有する文字板と、
前記反射層の背面側に設けられた光源と、
を備え、
前記反射層は、前記光源から照射される光を前面側に透過させる透過領域を有し、かつ前記光源が点灯しているときに前記透過領域を透過する光によって表示意匠を表示し、
前記反射層において、前記透過領域がパールインキで構成されており、かつ前記透過領域以外の領域がミラーインキで構成されている
ことを特徴とする自動車用メータ。
【発明の詳細な説明】
【技術分野】
【０００１】
本発明は、文字板および自動車用メータに関する。
【背景技術】
【０００２】
従来、文字板に微細な溝が施された金属調の文字板がある。例えば、特許文献１には、光透過性を有する透明基板と、透明基板の背面に設けられたヘアーライン状の凹凸から成る目付け部と、目付け部の背面に設けられた透明基板の正面側からの光である外光を反射するミラー層と、を備える文字板の技術が開示されている。特許文献１のミラー層には、表示意匠に相当する切り抜きが設けられている。
【０００３】
特許文献１の文字板では、文字板の背面から入射された照明光が、ミラー層に設けた表示意匠に相当する切り抜きを通って正面の乗員の目に届く。このため、表示意匠が光輝して視認される。
【先行技術文献】
【特許文献】
【０００４】
【特許文献１】特開２０１２−３７４３８号公報
【発明の概要】
【発明が解決しようとする課題】
【０００５】
ここで、文字板の背面側に設けられた光源が非点灯状態である場合に、表示意匠を目立たなくできることが望ましい。ミラー層に設けられた表示意匠の切り抜きは、光源の非点灯時に黒抜きとして観察されるなど、目立ちやすい。文字板の意匠性を向上させる観点からは、光源の非点灯時に表示意匠が目立ちにくいことが望ましい。
【０００６】
本発明の目的は、光源の非点灯時に表示意匠が目立ちにくい文字板および自動車用メータを提供することである。
【課題を解決するための手段】
【０００７】
本発明の文字板は、透光性を有し、かつ表面に多数の線状の溝を有する目付層と、前記目付層よりも背面側に設けられ、前記目付層側からの入射光を反射する反射層と、を備え、前記反射層は、背面側に設けられた光源から照射される光を前面側に透過させる透過領域を有し、かつ前記光源が点灯しているときに前記透過領域を透過する光によって表示意匠を表示し、前記反射層において、少なくとも前記透過領域がパールインキで構成されていることを特徴とする。
【０００８】
上記文字板において、前記反射層において、前記透過領域以外の領域もパールインキで構成されていることが好ましい。
【０００９】
上記文字板において、前記反射層において、前記透過領域以外の領域がミラーインキで構成されていることが好ましい。
【００１０】
本発明の自動車用メータは、透光性を有し、かつ表面に多数の線状の溝を有する目付層と、前記目付層よりも背面側に設けられ、前記目付層側からの入射光を反射する反射層と、を有する文字板と、前記反射層の背面側に設けられた光源と、を備え、前記反射層は、前記光源から照射される光を前面側に透過させる透過領域を有し、かつ前記光源が点灯しているときに前記透過領域を透過する光によって表示意匠を表示し、前記反射層において、少なくとも前記透過領域がパールインキで構成されていることを特徴とする。
【発明の効果】
【００１１】
本発明に係る文字板は、透光性を有し、かつ表面に多数の線状の溝を有する目付層と、目付層よりも背面側に設けられ、目付層側からの入射光を反射する反射層と、を備える。反射層は、背面側に設けられた光源から照射される光を前面側に透過させる透過領域を有し、かつ光源が点灯しているときに透過領域を透過する光によって表示意匠を表示する。反射層において、少なくとも透過領域がパールインキで構成されている。本発明に係る文字板および当該文字板を有する自動車用メータは、光源の非点灯時に表示意匠が目立ちにくいという効果を奏する。
【図面の簡単な説明】
【００１２】
【図１】図１は、第１実施形態に係る自動車用メータの平面図である。
【図２】図２は、第１実施形態に係る自動車用メータの断面図である。
【図３】図３は、第１実施形態に係る自動車用メータにおける光源の点灯状態を示す断面図である。
【図４】図４は、第１実施形態の第１変形例に係る文字板の層構成を示す図である。
【図５】図５は、第１実施形態の第２変形例に係る自動車用メータの断面図である。
【図６】図６は、第１実施形態の第２変形例に係る自動車用メータにおける光源の点灯状態を示す断面図である。
【図７】図７は、第２実施形態に係る自動車用メータの断面図である。
【図８】図８は、第２実施形態に係る自動車用メータにおける光源の点灯状態を示す断面図である。
【図９】図９は、第２実施形態の変形例に係る文字板の層構成を示す図である。
【図１０】図１０は、実施形態の他の変形例に係る文字板の層構成を示す図である。
【発明を実施するための形態】
【００１３】
以下に、本発明の実施形態に係る文字板および自動車用メータにつき図面を参照しつつ詳細に説明する。なお、この実施形態によりこの発明が限定されるものではない。また、下記の実施形態における構成要素には、当業者が容易に想定できるものあるいは実質的に同一のものが含まれる。
【００１４】
［第１実施形態］
図１から図３を参照して、第１実施形態について説明する。本実施形態は、文字板および自動車用メータに関する。図１は、第１実施形態に係る自動車用メータの平面図、図２は、第１実施形態に係る自動車用メータの断面図、図３は、第１実施形態に係る自動車用メータにおける光源の点灯状態を示す断面図である。図２および図３には、図１のII−II断面が示されている。
【００１５】
図１に示すように、本実施形態に係る自動車用メータ１００は、ケース１０１および文字板１を有する。図２に示すように、自動車用メータ１００は、更に光源３を有する。自動車用メータ１００は、例えば、運転席前方のインストルメントパネルに配置される。ケース１０１は、インストルメントパネル等の車体側の部材に対して固定される。ケース１０１は、文字板１に対応する開口部を有する。文字板１は、ケース１０１の開口部に係合し、当該開口部を閉塞している。本実施形態の自動車用メータ１００は、図１に示す文字板１を含む複数の文字板を有するコンビネーションメータである。本実施形態の文字板１は、自動車用メータ１００が搭載された自動車の走行速度を表示する速度計の文字板である。
【００１６】
文字板１は、円盤状の部材である。図１に示すように、文字板１の中心部には、図示しない指針の回転軸が挿通される貫通孔１１が設けられている。文字板１の外縁部には、指標１２が設けられている。指標１２は、複数の文字指標１３および目盛指標１４を含む。目盛指標１４は、指針によって指し示される速度指標である。文字指標１３は、目盛指標１４に対応する速度値の数値指標である。複数の文字指標１３および目盛指標１４は、周方向に沿って所定の間隔で配置されている。目盛指標１４は、文字指標１３よりも半径方向の外側に配置されている。文字指標１３および目盛指標１４は、例えば、印刷により設けられたものであっても、背面側からの光によって発光するものであっても、文字板１に形成された凸部や凹部であってもよい。
【００１７】
文字板１は、目付領域１５を有する。本実施形態の文字板１では、目付領域１５は、文字板１の前面１ａに設けられている。なお、文字板１および自動車用メータ１００に関して、「前面側」は運転席側であり、典型的には車両後側を示す。従って、文字板１の前面１ａは、運転席と対向する面である。文字板１および自動車用メータ１００に関して、「背面側」は運転席側と反対側であり、典型的には車両前側を示す。目付領域１５は、文字板１の前面１ａにおける貫通孔１１と外側境界線１６との間の領域である。外側境界線１６は、貫通孔１１と同心の円形であり、文字指標１３と目盛指標１４とを仕切っている。
【００１８】
目付領域１５は、多数の線状の溝１７からなる目付１８を有する。本実施形態の目付１８において、溝１７は、貫通孔１１を中心として放射状に設けられている。実際の溝１７は、その幅と深さと間隔などが非常に小さく、視認することは困難である。溝１７は、文字板１に図１などに示した例より多く形成されている。目付１８は、多数の溝１７によって旭光状の光沢を放つ旭光目付である。
【００１９】
図２に示すように、文字板１は、目付層２１、基材層２２、反射層２３、および遮光層２４を有する。目付層２１、基材層２２、反射層２３、および遮光層２４は、この順序で前面側から背面側へ向けて積層されている。つまり、文字板１において、目付層２１が最も運転席側の層となっている。
【００２０】
目付層２１は、透光性を有する層である。目付層２１は、例えば、合成樹脂（アクリル樹脂やポリカーボネート等）によって形成されている。目付１８は、目付層２１の前面１ａに形成されている。目付１８は、例えば、成形金型によって形成される。
【００２１】
基材層２２は、文字板１の本体部である。基材層２２は、透光性を有する層であり、合成樹脂等によって形成されている。目付層２１および基材層２２は、無色および有色の何れであってもよく、透明層および半透明層の何れであってもよい。目付層２１と基材層２２とは、接着、溶着、二色成形等によって一体化されている。なお、目付１８は、基材層２２に対して紫外線または熱を利用したインプリント成形によって形成されてもよい。
【００２２】
反射層２３は、目付層２１よりも背面側に設けられ、目付層２１側からの入射光を反射する層である。本実施形態の反射層２３は、基材層２２の背面側に設けられている。反射層２３は、少なくとも前面側から入射する光を反射することができる。本実施形態の反射層２３は、基材層２２の背面２２ａに対して印刷されたインキ層である。本実施形態の反射層２３は、パールインキによって構成されている。パールインキは、パール顔料を含むインキであり、目視角度により光沢や干渉色を発するインキである。パール顔料は、屈折率の低いマイカやＳｉＯ２、Ａｌ２Ｏ３等の上に屈折率の高い金属酸化物（酸化チタン、酸化鉄等）が被膜された顔料である。パールインキは、屈折率の高い顔料と屈折率の低い顔料とを層状配列することで多重反射と反射光の干渉をもたらすようにしたものである。パールインキは、反射特性と透過特性を併せ持つ。従って、反射層２３は、前面側から入射する光を反射して光沢を発生させる。
【００２３】
また、目付層２１に光が反射すると、目付１８の一部の領域が光る。典型的には、目付１８において、半径方向に沿った筋状、帯状または扇状の領域が光る。つまり、光があたった目付領域１５は、旭光状の光沢を放つ。本実施形態の文字板１では、反射層２３による光の反射と、目付層２１に発生する旭光状の光沢とによって、金属感を有する金属調文字板が実現される。
【００２４】
図２に示すように、反射層２３は、透過領域２３ａを有する。透過領域２３ａは、少なくとも背面側から前面側へ光を透過させる領域である。本実施形態の反射層２３は、パールインキで構成されており、背面側から前面側へ、および前面側から背面側へそれぞれ光を透過させる。
【００２５】
遮光層２４は、反射層２３の背面側に設けられている。本実施形態の遮光層２４は、反射層２３の背面２３ｂに対して印刷された黒色インキの印刷層である。つまり、反射層２３の背面２３ｂに遮光層２４が積層されている。遮光層２４は、反射層２３であって、かつ透過領域２３ａ以外の領域（以下、「他の領域」と称する。）２３ｃを背面側から覆い隠している。他の領域２３ｃは、透過領域２３ａを囲む領域であり、透過領域２３ａを除く領域でもある。遮光層２４は、透過領域２３ａに対応する形状の中抜き領域２４ａを有する。遮光層２４は、後述する光源３の光が他の領域２３ｃに入射することを規制する。
【００２６】
光源３は、文字板１の背面側に設けられている。光源３は、例えば、発光ダイオード（ＬＥＤ）である。光源３は、文字板１の背面側に配置された基板４によって保持されている。光源３は、透過領域２３ａと対向する位置に配置されている。基板４には、例えば、一つの透過領域２３ａに対して一つの光源３が配置されている。基板４は、光源３の点灯／消灯を制御する制御回路を有する。
【００２７】
透過領域２３ａを前面側から見た形状は、表示意匠の形状である。つまり、遮光層２４の中抜き領域２４ａの形状は、表示意匠の形状とされている。表示意匠は、ウォーニング情報や車両状態に係る文字や図柄の意匠である。表示意匠には、方向指示器等の操作装置の作動状態を示す図柄や、バッテリ等の機器についての警告を示す図柄など、文字板１に表示される各種の意匠が含まれる。
【００２８】
図２に示すように、光源３が消灯している非点灯状態では、透過領域２３ａは、他の領域２３ｃと同様に目付層２１側からの入射光Ｌｔ１を反射する。よって、透過領域２３ａは、他の領域２３ｃと同様の光沢を放って文字板１の金属感を演出する。また、透過領域２３ａは、背面側の空間を隠し、遮光層２４の中抜き領域２４ａの存在を見えにくくする。つまり、透過領域２３ａは、光源３の非点灯状態において表示意匠を目立ちにくくする。
【００２９】
図３に示すように、光源３が点灯している点灯状態では、透過領域２３ａは、光源３から照射される光Ｌｔ２を矢印Ｙ１で示すように前面側に透過させる。一方、遮光層２４は、光源３から照射される光を含む、背面側から他の領域２３ｃへ向かう光を遮る。透過領域２３ａを透過する光（以下、単に「透過光」と称する。）によって、透過領域２３ａの形状に対応する表示意匠が文字板１に表示される。つまり、文字板１は、光源３が点灯しているときに透過領域２３ａを透過する光によって表示意匠を表示する。
【００３０】
本実施形態の文字板１では、他の領域２３ｃが遮光層２４によって遮光されている。よって光源３の点灯状態において、透過領域２３ａと他の領域２３ｃとの輝度のコントラストが明瞭となる。従って、本実施形態の文字板１は、表示意匠の視認性を向上させることができる。
【００３１】
以上説明したように、本実施形態に係る文字板１は、透光性を有し、かつ表面に多数の線状の溝１７を有する目付層２１と、目付層２１よりも背面側に設けられ、目付層２１側からの入射光Ｌｔ１を反射する反射層２３とを有する。反射層２３は、背面側に設けられた光源３から照射される光Ｌｔ２を前面側に透過させる透過領域２３ａを有する。反射層２３は、光源３が点灯しているときに透過領域２３ａを通過する光によって表示意匠を表示する。反射層２３において、少なくとも透過領域２３ａがパールインキで構成されている。本実施形態の文字板１および当該文字板１を有する自動車用メータ１００では、透過性と反射性を併せ持つパールインキによって透過領域２３ａが構成されていることにより、光源３の非点灯時において表示意匠が目立たなくなる。よって、文字板１の意匠性が向上する。
【００３２】
また、本実施形態の文字板１では、反射層２３において、他の領域２３ｃもパールインキで構成されている。典型的には、反射層２３が全てパールインキによって構成される。他の領域２３ｃもパールインキで構成されていることにより、反射層２３の外観において一体性や連続性が低下しにくい。光源３の非点灯状態において透過領域２３ａの見栄えと他の領域２３ｃの見栄えとが一致し、または実質的に一致し、または領域の見分けが容易でない程度に類似することで、文字板１の意匠性が向上する。
【００３３】
なお、本実施形態の文字板１では、目付層２１の前面に目付１８が形成されているが、これに代えて、目付層２１の背面に目付１８が形成されてもよい。
【００３４】
［第１実施形態の第１変形例］
第１実施形態の第１変形例について説明する。図４は、第１実施形態の第１変形例に係る文字板の層構成を示す図である。図４に示すように、第１変形例に係る文字板１は、トップコート層３１、透明スモーク層３２、基材層３３、目付層３４、反射層３５、および遮光層３６を有する。トップコート層３１は、文字板１の前面をコートする透明なコーティング層である。透明スモーク層３２は、半透明の層であり、文字板１の色味を調整する。透明スモーク層３２は、例えば、スモーク印刷により形成される。基材層３３は、上記第１実施形態の基材層２２と同様に、透光性を有する本体部である。
【００３５】
目付層３４は、透光性を有し、かつ表面に目付１８が形成されている。目付１８は、例えば、上記第１実施形態の目付１８と同様に、放射状の多数の溝１７を有する旭光模様のものである。目付１８は、目付層３４の前面に設けられても、背面３４ａに設けられてもよい。第１変形例の目付１８は、例えば、紫外線または熱を利用したインプリント成形によって形成される。
【００３６】
反射層３５は、上記第１実施形態の反射層２３と同様に、全体がパールインキによって構成されている。反射層３５は、目付層３４の背面３４ａに対して印刷されたパールインキの印刷層である。反射層３５は、透過領域３５ａを有する。透過領域３５ａは、背面側から前面側へと光を透過させる領域である。
【００３７】
遮光層３６は、反射層３５の背面側に設けられている。遮光層３６は、例えば、反射層３５の背面に対して印刷された黒色インキの印刷層である。遮光層３６は、中抜き領域３６ａを有する。遮光層３６は、反射層３５における他の領域３５ｂを背面側から覆い隠す。なお、他の領域３５ｂは、反射層３５における透過領域３５ａ以外の領域である。つまり、反射層３５において遮光層３６によって覆い隠されている部分は、光を実質的に透過させない遮光領域となっている。一方、反射層３５において遮光層３６によって覆い隠されることなく露出している部分は、光を透過させる透過領域３５ａとなっている。
【００３８】
透過領域３５ａおよび中抜き領域３６ａの形状は、表示意匠に対応した形状である。表示意匠は、例えば、図４に示す数字のごとき文字とされてもよい。図４の透過領域３５ａは、数字「４」および「０」の二文字からなる表示意匠を表示する。
【００３９】
［第１実施形態の第２変形例］
第１実施形態の第２変形例について説明する。図５は、第１実施形態の第２変形例に係る自動車用メータの断面図、図６は、第１実施形態の第２変形例に係る自動車用メータにおける光源の点灯状態を示す断面図である。第２変形例の自動車用メータ１００では、表示意匠２ａが反射層２３よりも背面側に配置されている。
【００４０】
図５に示すように、第２変形例の自動車用メータ１００では、文字板１の背面側に、表示意匠２ａを有する意匠文字板２が配置されている。意匠文字板２は、文字板１の近傍に配置されている。意匠文字板２には、表示意匠２ａの形状を中抜きした遮光性の印刷が施されている。
【００４１】
光源３は、意匠文字板２の背面側に配置されている。光源３は、意匠文字板２の背面側に配置された基板４によって保持されている。基板４には、一つの表示意匠２ａに対して一つの光源３が配置されている。光源３は、表示意匠２ａに対して背面側から光を照射する。
【００４２】
反射層２３は、表示意匠２ａと対向し、かつ光を透過させる透過領域２３ａを有する。透過領域２３ａは、表示意匠２ａ側から入射する光を前面側に透過させる。本変形例の反射層２３は、パールインキからなる半透過層であり、一部の光を透過させると共に一部の光を反射する。従って、透過領域２３ａは、光源３から放射されて表示意匠２ａを通過した光を図６に矢印Ｙ２で示すように基材層２２側に透過させる。これにより、表示意匠２ａが文字板１から前面側に向けて投影され、表示意匠２ａの図柄が運転者５によって視認可能となる。
【００４３】
このように、本変形例の文字板１では、反射層２３がパールインキで構成されている。反射層２３は、光源３の点灯時には表示意匠２ａを通過した光を前面側に透過させる。一方、反射層２３は、光源３の非点灯時には前面側から入射する光を反射して表示意匠２ａを覆い隠し、表示意匠２ａを目立たなくする。よって、本変形例の文字板１は、非点灯時に表示意匠２ａを目立たなくして意匠性を向上させることができる。
【００４４】
［第１実施形態の第３変形例］
目付１８の模様は旭光模様には限定されない。目付１８の模様は、例えば、スピン模様であってもよい。スピン模様の目付１８は、微細な複数の溝が予め設定される基準点（例えば、目付領域１５の中心）を中心として同心円環状、あるいは、渦巻き環状に延在することで形成される。目付１８の模様は、縦方向に延在する微細な複数の溝による縦縞状のヘアライン目付模様や、横方向に延在する微細な複数の溝による横縞状のヘアライン目付模様であってもよい。また、目付１８の模様は、縦縞と横縞とが交差する目付模様であってもよい。
【００４５】
［第２実施形態］
図７および図８を参照して、第２実施形態について説明する。第２実施形態については、上記第１実施形態で説明したものと同様の機能を有する構成要素には同一の符号を付して重複する説明は省略する。図７は、第２実施形態に係る自動車用メータの断面図、図８は、第２実施形態に係る自動車用メータにおける光源の点灯状態を示す断面図である。
【００４６】
図７に示すように、第２実施形態の自動車用メータ１００の反射層２５は、ミラーインキ部２５１およびパールインキ部２５２を有する。ミラーインキ部２５１は、ミラーインキによって構成された層状の構成部である。ミラーインキ部２５１は、基材層２２の背面に対してミラーインキが印刷されることにより形成される。ミラーインキは、光を通さない非透過の金属粉を含み、パールインキと比較して高い反射率を有する。
【００４７】
ミラーインキ部２５１は、中抜き領域２５１ａを有する。中抜き領域２５１ａの形状は、表示意匠の形状である。ミラーインキ部２５１は、パールインキ部２５２よりも反射率が高い高反射領域であり、例えば、前面側から入射する光を全反射する全反射領域である。
【００４８】
パールインキ部２５２は、パールインキによって構成されている。パールインキ部２５２は、基材層２２の背面２２ｂにおける中抜き領域２５１ａに対応する領域を覆っている。本実施形態の文字板１では、ミラーインキ部２５１が印刷された後に、背面側からパールインキ部２５２が印刷される。パールインキ部２５２は、中抜き領域２５１ａおよびその周縁の領域に対して印刷される。つまり、パールインキ部２５２は、ミラーインキ部２５１の中抜き領域２５１ａを埋めるように、ミラーインキ部２５１および基材層２２に対して背面側から印刷される。
【００４９】
ミラーインキ部２５１の背面には、遮光層２６が設けられている。遮光層２６は、例えば、黒色インキの印刷層である。遮光層２６は、少なくとも中抜き領域２５１ａと重ならないように設けられている。つまり、遮光層２６は、ミラーインキ部２５１における中抜き領域２５１ａを除く領域を背面側から覆っている。遮光層２６は、例えば、パールインキ部２５２を除く領域に対して印刷される。
【００５０】
文字板１の背面側には、上記第１実施形態の自動車用メータ１００と同様に光源３が配置されている。光源３は、中抜き領域２５１ａと対向する位置に配置されている。光源３は、例えば、一箇所の中抜き領域２５１ａに対して一つ配置される。
【００５１】
反射層２５において、パールインキ部２５２は、光源３から照射される光を前面側に透過させる透過領域２５ａである。透過領域２５ａは、パールインキ部２５２のうち、中抜き領域２５１ａに対応する部分である。反射層２５において、透過領域２５ａ以外の領域２５ｂは、ミラーインキ部２５１である。透過領域２５ａ以外の領域２５ｂが反射率の高いミラーインキで構成されていることにより、金属調文字板としての見栄えが向上する。ミラーインキ部２５１は、遮光層２６によって背面が覆われている。本実施形態の文字板１では、ミラーインキ部２５１の背面に遮光層２６が設けられていることで、ミラーインキ部２５１に対する背面側からの入射光が遮られている。これにより、ミラーインキに含まれる金属粉が影として観察されてしまうことが防がれている。
【００５２】
本実施形態の文字板１では、ミラーインキ部２５１およびパールインキ部２５２が何れも反射特性を有する。よって、光源３の非点灯時において、ミラーインキ部２５１およびパールインキ部２５２がそれぞれ光沢を放つ。反射層２５の全体が均一にまたは実質的に均一に光を反射すること、または、またはパールインキ部２５２がミラーインキ部２５１と同様に光ることで、表示意匠が目立たなくされている。一方、光源３の点灯状態においては、図８に矢印Ｙ３で示すように、パールインキ部２５２の透過領域２５ａが光源３の光を前面側に透過させる。これにより、中抜き領域２５１ａの形状に応じた表示意匠の表示がなされる。
【００５３】
なお、本実施形態の文字板１において、遮光層２６が省略されてもよい。ミラーインキ部２５１に代えて、蒸着などにより形成される金属膜が設けられてもよい。
【００５４】
［第２実施形態の変形例］
第２実施形態の変形例について説明する。図９は、第２実施形態の変形例に係る文字板の層構成を示す図である。図９に示すように、第２実施形態の変形例に係る文字板１は、トップコート層４１、透明スモーク層４２、基材層４３、目付層４４、反射層４８、および遮光層４７を有する。トップコート層４１、透明スモーク層４２、基材層４３、および目付層４４は、例えば、それぞれ上記第１実施形態の第１変形例に係るトップコート層３１、透明スモーク層３２、基材層３３、および目付層３４と同様である。
【００５５】
反射層４８は、ミラーインキ部４５およびパールインキ部４６を含む。ミラーインキ部４５は、目付層４４の背面側に設けられたミラーインキによるインキ層である。ミラーインキ部４５は、中抜き領域４５ａを有する。中抜き領域４５ａの形状は、表示意匠の形状である。つまり、ミラーインキ部４５は、表示意匠の形状が中抜きされてミラーインキが印刷されたミラーインキ層である。
【００５６】
パールインキ部４６は、目付層４４の背面側に設けられたパールインキによるインキ層である。パールインキ部４６は、ミラーインキ部４５の中抜き領域４５ａを覆っている。つまり、ミラーインキ部４５の形成後にパールインキ部４６が形成される。反射層４８において、パールインキ部４６が透過領域に相当し、ミラーインキ部４５が透過領域以外の領域に相当する。
【００５７】
遮光層４７は、反射層４８の背面側に設けられている。遮光層４７は、例えば、反射層４８の背面に対して印刷された黒色インキの印刷層である。遮光層４７は、中抜き領域４７ａを有する。中抜き領域４７ａの形状は、表示意匠の形状である。遮光層４７は、ミラーインキ部４５を覆い隠しつつ、パールインキ部４６の背面を露出させる。遮光層４７は、ミラーインキ部４５の背面を遮り、ミラーインキ部４５に対する背面側からの光の入射を規制する。
【００５８】
［上記実施形態の他の変形例］
上記第１実施形態および第２実施形態の他の変形例について説明する。図１０は、実施形態の他の変形例に係る文字板の層構成を示す図である。本変形例の文字板１では、基材層６２と反射層６４との間に透明スモーク層６３が設けられている。図１０に示すように、本変形例に係る文字板１は、目付層６１、基材層６２、透明スモーク層６３、反射層６４、および遮光層６５を有する。目付層６１、基材層６２、透明スモーク層６３、反射層６４、および遮光層６５は、例えば、それぞれ上記第１実施形態の第１変形例に係る目付層３４、基材層３３、透明スモーク層３２、反射層３５、および遮光層３６と同様である。目付層６１、基材層６２、透明スモーク層６３、反射層６４、および遮光層６５は、この順序で前面側から背面側へ向けて積層されている。
【００５９】
透明スモーク層６３は、半透明の層であり、文字板１の色味を調整する。透明スモーク層６３は、例えば、スモーク印刷により形成される。透明スモーク層６３は、無色および有色の何れであってもよい。透明スモーク層６３の色は、青色や褐色、黒色であってもよい。
【００６０】
反射層６４は、例えば、全体がパールインキによって構成されている。本変形例の反射層６４は、透明スモーク層６３の背面６３ａに対して印刷されたパールインキの印刷層である。反射層６４は、透過領域６４ａを有する。透過領域６４ａは、背面側から前面側へと光を透過させる領域である。
【００６１】
遮光層６５は、反射層６４の背面側に設けられている。遮光層６５は、例えば、反射層６４の背面に対して印刷された黒色インキの印刷層である。遮光層６５は、中抜き領域６５ａを有する。中抜き領域６５ａの形状は、表示意匠の形状である。遮光層６５は、反射層６４における他の領域６４ｂを覆い隠す。なお、他の領域６４ｂは、反射層６４における透過領域６４ａ以外の領域である。
【００６２】
上記の各実施形態および変形例に開示された内容は、適宜組み合わせて実行することができる。
【符号の説明】
【００６３】
１  文字板
２  意匠文字板
２ａ  表示意匠
３  光源
４  基板
５  運転者
１１  貫通孔
１２  指標
１３  文字指標
１４  目盛指標
１５  目付領域
１６  外側境界線
１７  溝
１８  目付
２１  目付層
２２  基材層
２２ａ，２２ｂ  背面
２３  反射層
２３ａ  透過領域
２３ｂ  背面
２３ｃ  他の領域（透過領域以外の領域）
２４  遮光層
２４ａ  中抜き領域
２５  反射層
２５ａ  透過領域
２６  遮光層
３１，４１  トップコート層
３２，４２，６３  透明スモーク層
３３，４３，６２  基材層
３４，４４，６１  目付層
３４ａ  背面
３５，６４  反射層
３５ａ，６４ａ  透過領域
３５ｂ，６４ｂ  他の領域（透過領域以外の領域）
３６，４７，６５  遮光層
４５  ミラーインキ部
４５ａ  中抜き領域
４６  パールインキ部
１００  自動車用メータ
２５１  ミラーインキ部
２５１ａ  中抜き領域
２５２  パールインキ部
【図１】
0006556176.tif 000002
【図２】
0006556176.tif 000003
【図３】
0006556176.tif 000004
【図４】
0006556176.tif 000005
【図５】
0006556176.tif 000006
【図６】
0006556176.tif 000007
【図７】
0006556176.tif 000008
【図８】
0006556176.tif 000009
【図９】
0006556176.tif 000010
【図１０】
0006556176.tif 000011